(57)【要約】  上昇／下降デバイスを含むサスペンション・アームであって、当該上昇／下降デバイスがさらに、内側スリーブと、伸縮式シャフトおよびその内部の弾性体と、内側スリーブに連結する外側スリーブと、外側スリーブの最上部の開口部上にあるクリップ・リングとから成る、サスペンション・アームを提供すること。【解決手段】  サスペンション・アームであって、  上昇／下降デバイスを含んでおり、前記上昇／下降デバイスが、内側スリーブと、伸縮式シャフトおよびその内部の弾性体と、前記内側スリーブに連結する外側スリーブと、前記外側スリーブの最上部の開口部上にあるクリップ・リングとから成り、ユーザが、前記クリップ・リングを押圧して、前記伸縮式シャフトを押圧もしくは解放し、前記伸縮式シャフトを上昇させ、もしくは前記外側スリーブの上に下降させるときに、前記外側スリーブが前記内側スリーブ上で回転することができること。【選択図】  図１
0003111008.tif 000002
【実用新案登録請求の範囲】
【請求項１】
サスペンション・アームであって、
上昇／下降デバイスを含んでおり、前記上昇／下降デバイスが、内側スリーブと、伸縮式シャフトおよびその内部の弾性体と、前記内側スリーブに連結する外側スリーブと、前記外側スリーブの最上部の開口部上にあるクリップ・リングとから成り、ユーザが、前記クリップ・リングを押圧して、前記伸縮式シャフトを押圧もしくは解放し、前記伸縮式シャフトを上昇させ、もしくは前記外側スリーブの上に下降させるときに、前記外側スリーブが前記内側スリーブ上で回転することができ、前記サスペンション・アームがさらに、
柱形の連結ベースおよび中心軸スロットとねじれの構造にある、連結軸を含んでおり、圧迫リングの隣にある２枚のスライスを備えたクリップ・カバーが、最上部から底部まで延び、それらすべてが前記連結ベースによって覆われており、前記伸縮式シャフトの支持軸が、前記２枚のスライスの楔穴と、それらの間の軸スロットとを貫通しており、前記支持軸と連結デバイスとが結合して、前記連結ベースを包んで圧迫し、かつ前記クリップ・カバーを回転可能にしており、前記サスペンション・アームがさらに、
前記クリップ・カバーに連結する連結機構を含んでおり、前記連結機構が、物品に連結して、前記上昇／下降デバイスによって前記物品を全方向に上昇させ、下降させ、回転させ、かつ調節することを特徴とするサスペンション・アーム。
【請求項２】
前記上昇／下降デバイスの底部に、クリップ・ベースが連結しており、前記内側スリーブの中央部の周りにねじ山部があり、前記外側スリーブの内側に管のねじ山が設けられていて、前記内側スリーブの前記ねじ山部に連結し、かつ前記外側スリーブを前記内側スリーブの周りで回転させており、前記内側スリーブの最上部に、前記クリップ・リングに連結するための締付部があり、前記伸縮式シャフトの周りに、密閉性の高いコネクタがあり、前記２つのシャフト・リングの間に、前記内側スリーブに密接に連結するための少なくとも１つのＯリングがあり、前記弾性体がばねであることを特徴とする請求項１に記載のサスペンション・アーム。
【請求項３】
前記クリップ・リングの最上部にいくつかのスロットがあり、いくつかの傾斜ウィングが中心に向かって曲がっており、前記スリーブ管の最上部に、前記クリップ・リングの前記傾斜ウィングに連結するための圧迫壁があり、前記圧迫壁の開口部の上に、壁スロットが形成されており、前記壁スロットの上に、前記伸縮式シャフトに密接に連結するためのＯリングが置かれており、前記連結ベースの両側が、側部連結軸に連結して、支持ラックおよび前記連結機構に連結することを特徴とする請求項１に記載のサスペンション・アーム。
【請求項４】
前記内側スリーブの底部に、少なくとも１つの空気穴が配置されており、前記スライスのリム上にいくつかのスライス穴があり、前記圧迫リングの片側に、位置決めのために前記スライス穴内に挿入される、突き出た環状ほぞがあり、前記スライスの外側に、前記スライス穴内に挿入されるカバーほぞをそれぞれ備えた装飾カバーが設けられており、前記伸縮式シャフトと前記連結ベースとの間にワイヤ構成機構があり、延在距離の異なる１対の締付曲線部材が、ワイヤを貫通させるためのリングを形成することを特徴とする請求項１に記載のサスペンション・アーム。
【請求項５】
前記連結軸が、支持ラックによって遠隔連結軸に連結しており、前記遠隔連結軸が、物品を支持して水平に伸張させるための前記連結機構に連結しており、前記連結軸と前記遠隔連結軸との間に、中央連結軸があり、前記２つの支持ラックが、前記中央連結軸の両側にあり、それぞれ前記連結軸および前記遠隔連結軸に連結しており、前記遠隔連結軸の他の側部が、前記連結機構に連結していることを特徴とする請求項１に記載のサスペンション・アーム。
【請求項６】
前記遠隔連結軸または前記中央連結軸の下方に、ワイヤ編成機構があり、前記圧迫リングの片側に、締付部分それぞれがあって、前記締付リングの２つの側部に連結し、ワイヤを巻くための空間を形成しており、前記支持軸が、軸として、前記遠隔連結軸または前記中央連結軸内の軸ボルトに置き換えられており、前記軸ボルトの一端が、少なくとも１つのフラット・リムを有しており、前記スライスの突き出たストッパが、前記フラット・リムの回転を阻止することを特徴とする請求項５に記載のサスペンション・アーム。
【考案の詳細な説明】
【技術分野】
【０００１】
本考案は、一般に、サスペンション・アームに関し、より詳細には、一方の側で物品を保持し、他の側が固定物に固定されるサスペンション・アームに関する。
【背景技術】
【０００２】
従来、サスペンション・アームが、オフィス内の紙棚や電話ホルダなど、多くの場所で使用されることが知られている。サスペンション・アームは、物品を保持して、固定物との高さの差を維持することができ、このようなスキームは、空間配置に非常に役に立つ。
【０００３】
また、優れたサスペンション・アームは、物品の保持に加えて、様々な用途および様々なユーザのために、距離を調節可能で、かつ上下左右に向きを変えなければならない。すべての製造業者は、この人間工学的要件を満たす目標を目指している。従来の特許文献として下記の特許文献１〜５がある。
【特許文献１】台湾特許２０７０２５号
【特許文献２】台湾特許２０８４８３号
【特許文献３】米国特許第６，６７２，５５３号
【特許文献４】台湾特許公開５７９９１７号
【特許文献５】米国特許出願第１０／７３７，８１０号
【考案の開示】
【考案が解決しようとする課題】
【０００４】
フラット・パネル・ディスプレイやＬＣＤディスプレイなど、新しい先端技術製品が量産され続けており、フラット・パネル・ディスプレイが、軽量で、薄く、短く、かつ小さいという利点を有するので、徐々にＬＣＤテレビが従来のＣＲＴテレビに置き換わっている。一部の製造業者は、全方向に調節可能なフラット・パネル・ディスプレイ用のサスペンション・アーム製品を設計している。しかし、依然として、ユーザが公知のほとんどのサスペンション・アームの距離を調節するときには、不便および面倒の原因となる角度の調節をしなければならない。
【０００５】
前述の欠点に基づいて、本出願人は、既に、台湾特許（Ｔａｉｗａｎ  Ｐａｔｅｎｔ）２０７０２５号および２０８４８３号（米国特許第６，６７２，５５３号）を保有している。ユーザによって身長が異なり、見る角度が様々になるが、公知のサスペンション・アームの高さの調節は、距離を調節することによるもの、したがって距離を変更するものである。
したがって、本考案の主な目的は、上昇／下降デバイスを含むサスペンション・アームであって、当該上昇／下降デバイスがさらに、内側スリーブと、伸縮式シャフトおよびその内部の弾性体と、内側スリーブに連結する外側スリーブと、外側スリーブの最上部の開口部上にあるクリップ・リングとから成る、サスペンション・アームを提供することである。
【課題を解決するための手段】
【０００６】
前記目的を達成するため、本校案のサスペンション・アームは、
上昇／下降デバイスを含んでおり、前記上昇／下降デバイスが、内側スリーブと、伸縮式シャフトおよびその内部の弾性体と、前記内側スリーブに連結する外側スリーブと、前記外側スリーブの最上部の開口部上にあるクリップ・リングとから成り、ユーザが、前記クリップ・リングを押圧して、前記伸縮式シャフトを押圧もしくは解放し、前記伸縮式シャフトを上昇させ、もしくは前記外側スリーブの上に下降させるときに、前記外側スリーブが前記内側スリーブ上で回転することができ、前記サスペンション・アームがさらに、
柱形の連結ベースおよび中心軸スロットとねじれの構造にある、連結軸を含んでおり、圧迫リングの隣にある２枚のスライスを備えたクリップ・カバーが、最上部から底部まで延び、それらすべてが前記連結ベースによって覆われており、前記伸縮式シャフトの支持軸が、前記２枚のスライスの楔穴と、それらの間の軸スロットとを貫通しており、前記支持軸と連結デバイスとが結合して、前記連結ベースを包んで圧迫し、かつ前記クリップ・カバーを回転可能にしており、前記サスペンション・アームがさらに、
前記クリップ・カバーに連結する連結機構を含んでおり、前記連結機構が、物品に連結して、前記上昇／下降デバイスによって前記物品を全方向に上昇させ、下降させ、回転させ、かつ調節することからなる。
【０００７】
又、前記上昇／下降デバイスの底部に、クリップ・ベースが連結しており、前記内側スリーブの中央部の周りにねじ山部があり、前記外側スリーブの内側に管のねじ山が設けられていて、前記内側スリーブの前記ねじ山部に連結し、かつ前記外側スリーブを前記内側スリーブの周りで回転させており、前記内側スリーブの最上部に、前記クリップ・リングに連結するための締付部があり、前記伸縮式シャフトの周りに、密閉性の高いコネクタがあり、前記２つのシャフト・リングの間に、前記内側スリーブに密接に連結するための少なくとも１つのＯリングがあり、前記弾性体がばねであることが好適である。
又、前記クリップ・リングの最上部にいくつかのスロットがあり、いくつかの傾斜ウィングが中心に向かって曲がっており、前記スリーブ管の最上部に、前記クリップ・リングの前記傾斜ウィングに連結するための圧迫壁があり、前記圧迫壁の開口部の上に、壁スロットが形成されており、前記壁スロットの上に、前記伸縮式シャフトに密接に連結するためのＯリングが置かれており、前記連結ベースの両側が、側部連結軸に連結して、支持ラックおよび前記連結機構に連結することが好適である。
前記内側スリーブの底部に、少なくとも１つの空気穴が配置されており、前記スライスのリム上にいくつかのスライス穴があり、前記圧迫リングの片側に、位置決めのために前記スライス穴内に挿入される、突き出た環状ほぞがあり、前記スライスの外側に、前記スライス穴内に挿入されるカバーほぞをそれぞれ備えた装飾カバーが設けられており、前記伸縮式シャフトと前記連結ベースとの間にワイヤ構成機構があり、延在距離の異なる１対の締付曲線部材が、ワイヤを貫通させるためのリングを形成することが好適である。
又、前記連結軸が、支持ラックによって遠隔連結軸に連結しており、前記遠隔連結軸が、物品を支持して水平に伸張させるための前記連結機構に連結しており、前記連結軸と前記遠隔連結軸との間に、中央連結軸があり、前記２つの支持ラックが、前記中央連結軸の両側にあり、それぞれ前記連結軸および前記遠隔連結軸に連結しており、前記遠隔連結軸の他の側部が、前記連結機構に連結していることが好適である。
さらに、前記遠隔連結軸または前記中央連結軸の下方に、ワイヤ編成機構があり、前記圧迫リングの片側に、締付部分それぞれがあって、前記締付リングの２つの側部に連結し、ワイヤを巻くための空間を形成しており、前記支持軸が、軸として、前記遠隔連結軸または前記中央連結軸内の軸ボルトに置き換えられており、前記軸ボルトの一端が、少なくとも１つのフラット・リムを有しており、前記スライスの突き出たストッパが、前記フラット・リムの回転を阻止することが好適である。
【考案を実施するための最良の形態】
【０００８】
本考案の前述した目的の達成は、本考案の一実施形態を例示的に開示する以下の説明およびその添付図面から明らかになる。
【０００９】
図１〜図３を参照すると、本考案は、上昇／下降デバイス１と、連結軸２と、連結機構３とを含む。
【００１０】
各コンポーネントの機能は、次のように記載される。上昇／下降デバイス１は、さらに、内側スリーブ１１と、伸縮式シャフト１２と、弾性体１３と、クリップ・リング１４と、外側スリーブ１５とから成る。内側スリーブ１１は、底部でクリップ・ベース５に連結しており、当該クリップ・ベース５が、テーブルなどの固定物を挟持し、内側スリーブ１１の中央部には、外側スリーブ１５に連結するためのねじ山部１１１があり、内側スリーブ１１の最上部には、クリップ・リング１４に連結するための締付部１１２があり、内側スリーブ１１の中心には、弾性体１３を位置決めかつ収容するための内部チャンバ１１３がある。
【００１１】
伸縮式シャフト１２は、内部チャンバ１１３内に挿入され、中空のシャフト・チャンバ１２１が弾性体１３の他端を収容し、これで、伸縮式シャフト１２が内側スリーブ１１の内部で可動になる。伸縮式シャフト１２を垂直に、かつ安定して運動させるために、密閉性の高いコネクタ１２２が伸縮式シャフト１２の底部に設けられており、例えば、２つのシャフト・リング１２２ａの間に少なくとも１つのＯリング１２２ｂがある。伸縮式シャフト１２の最上部に、軸２を貫通する支持軸１２３があって、伸縮式シャフト１２上のすべてのコンポーネントを３６０°回転させる。
【００１２】
弾性体１３は、実際の利用時にはばねである方がよいが、ばねが唯一の選択肢ではなく、伸縮式シャフト１２を伸縮させることのできる他の弾性コンポーネントすべてが利用可能である。
【００１３】
クリップ・リング１４は、底部の締付部分１４１によって、内側スリーブ１１の最上部にある締付部１１２に連結しており、クリップ・リング１４の最上部にいくつかのスロット１４２があり、いくつかの傾斜ウィング１４３が中心に向かって曲がっている。
【００１４】
外側スリーブ１５は、管形をしており、管のねじ山１５２が、内側スリーブ管１５１の底部付近に設けられていて、内側スリーブ１１のねじ山部１１１に連結し、さらに外側スリーブ１５を内側スリーブ１１の周りで回転させ、スリーブ管１５１の最上部には、クリップ・リング１４の傾斜ウィング１４３に連結するための圧迫壁１５３がある。
【００１５】
図２および図３を参照すると、ユーザが、外側スリーブ１５を回転させて、クリップ・リング１４を緩め、伸縮式シャフト１２を所望の場所まで上下させ、次いで、外側スリーブ１５を逆方向に回転させて、クリップ・リング１４に伸縮式シャフト１２を締め付けさせて、その位置で固定するときに、このようなスキームが全構造の位置を調節することができる。圧迫壁１５３の開口部の上に、壁スロット１５４が形成されており、当該壁スロット１５４の上にＯリング１５５が置かれて、伸縮式シャフト１２を内側スリーブ管１５１の内部で上下に滑らかに移動させる。
【００１６】
内側スリーブ１１の下部は、本出願人の台湾特許公開（Ｔａｉｗａｎｅｓｅ  Ｐａｔｅｎｔ  Ｐｕｂｌｉｃａｔｉｏｎ）５７９９１７号のクリップに適合する。錐状連結管１１４が、内側スリーブ１１の底部から延在しており、内側スリーブ１１の底部は、クリップ・ベース５の外側の回動管５１内に挿入されて、錐状連結管１１４を内側の分離ボード５１１の中心にあるボード軸５１２に連結させて、これら２つをコネクタと結合させており、内側の分離ボード５１１上のほぞ（tenon）５１３によって挿入されるために、ほぞ穴１１５および通気穴１１６が、錐状連結管１１４の片側に垂直に設けられており、ユーザが外側の回動管５１を回転させると内側スリーブ１１が１つに接合され、クリップ・ボルト５２が、外側の回動管５１の底部から設けられており、対応する２つのボルト穴５２１が、ボード穴５１４上に設けられ、コネクタをボルト穴に通過させてボード穴５１４上に固定しており、クリップ・ボルト５２の最上部には、ボルト・パイプ５２２がいくつかあり、内側の分離ボード５１１上の対応する楔穴５１５上に押し込まれていて、クリップ・ボルト５２を外側の回動管５１と同期して回転させ、錐状ボルト・スロット５２３が、クリップ・ボルト５２の中心から下方に延びて、ねじシャンク５２４に結合している。
【００１７】
クリップ・ボルト５２は、底部ベース５３のベース・ステップ５３１内に挿入され、対応するボルト・スロット５２３は、連結のための対応する錐状ベース・スロット５３２を有しており、ねじシャンク５２４は、下方に延びて、クリップ・スライス５４に連結しており、ユーザが外側の回動管５１を回転させると、ねじシャンク５２４が同期して回動し、同時にクリップ・スライス５４が即座に上昇または下降し、底部ボード５４１および底部ベース５３は、机などの固定物を挟持して、当該構造を机にしっかりと固定する。実際には、本考案のクリップ・ベース５は、単なる一例にすぎず、当該クリップ・ベースを米国特許出願第１０／７３７，８１０号のクリップに適用することもできる。
【００１８】
伸縮式シャフト１２の調節に影響を及ぼす、内側スリーブ１１と伸縮式シャフト１２との間の真空状態を回避するために、内側スリーブ１１の底部にある空気穴１１６と、外側の回動管５１とクリップ・ボルト５２との間のボルト・パイプ５２２と、ベース・ステップ５３１上の貫通穴５３３とが、空気の通路を形成して、真空状態を防ぐ。
【００１９】
連結軸２は、柱形の連結ベース２１および中心軸スロット２１１とねじれの構造にあり、圧迫リング２４の隣にある２枚のスライス２３を備えたクリップ・カバー２２が、最上部から底部まで延び、それらすべてが連結ベース２１によって覆われており、伸縮式シャフト１２の支持軸１２３が、２枚のスライス２３の楔穴２３１と、それらの間の軸スロット２１１とを貫通しており、支持軸１２３と連結デバイスとが結合して、連結ベース２１を包んで圧迫し、クリップ・カバー２２を３６０°回転させる。
【００２０】
スライス２３の縁部にはスライス穴２３２がいくつかあり、圧迫リング２４の片側に、位置決めのために当該スライス穴２３２内に挿入される、突き出た環状ほぞ２４１がある。スライス穴２３２内に挿入されるカバーほぞ２６１をそれぞれ備えた装飾カバー２６が、スライス２３の外側に設けられている。
【００２１】
図４ａに示したように、連結軸２は、フラット・パネル・ディスプレイなどの物品に連結して全方向に上昇させ、下降させ、回転させ、かつ調節するための連結機構３に、その片側で連結している。
【００２２】
図４ｂに示したように、連結軸２は、支持ラック４によって遠隔連結軸２’に連結しており、当該遠隔連結軸２’は、やはり、物品を支持するための連結機構３に連結しており、このような機構が、水平に延びる２つの連結軸を備える本考案を作り出し、利用時のよりよい利便性を提供する。
【００２３】
連結軸２’の下方にはワイヤ構成機構があり、圧迫リング２４の片側に、締付部分２４２それぞれがあって、締付部分２４２上で締付リング２７の２つの側部に連結し、ワイヤを巻くための空間を形成している。伸縮式シャフト１２と連結ベース２１との間に、もう１つのワイヤ構成機構があり、延在距離の異なる１対の締付曲線部材２８１、２８２が、ワイヤを貫通させて巻くためのリングを形成する。
【００２４】
支持軸１２３は、軸として、連結軸２’内の軸ボルト２５に置き換えられており、軸ボルト２５の一端は、少なくとも１つのフラット・リム２５２を有しており、スライス２３の突き出たストッパ２３３が、フラット・リム２５２の回転を阻止する。
【００２５】
図４ｃに示したように、連結軸２と遠隔連結軸２’との間に、中央連結軸２”があり、中央連結軸２”の両側に２つの支持ラックがあり、それぞれ連結軸２および遠隔連結軸２”に連結しており、遠隔連結軸の他の側部は、フラット・パネル・ディスプレイに連結するための連結機構３に連結している。
【００２６】
図５を参照すると、連結ベース２１の他の応用例が示されており、連結ベース２１の両側が、支持ラック４および連結機構３に連結するための側部連結軸２９に連結しており、より実用的であるように、２セットの物品を支持することが可能である。
【００２７】
本考案の好ましい一実施形態を詳細に示し、記載したが、本考案の精神および範囲から逸脱することなく、多数の省略、変更、および追加を実施できることが、容易に理解かつ認識されよう。
【図面の簡単な説明】
【００２８】
【図１】本考案の組立図である。
【図２】本考案の断面図である。
【図３】本考案の応用例を示す断面図である。
【図４ａ】本考案の第１応用例を示す図である。
【図４ｂ】本考案の第２応用例を示す図である。
【図４ｃ】本考案の第３応用例を示す図である。
【図５】本考案の他の実施形態の応用例を示す図である。
【符号の説明】
【００２９】
１  上昇／下降デバイス
２  連結軸
２’  遠隔連結軸
２”  中央連結軸
３  連結機構
４  支持ラック
５  クリップ・ベース
１１  内側スリーブ
１２  伸縮式シャフト
１３  弾性体
１４  クリップ・リング
１５  外側スリーブ
２１  連結ベース
２４  圧迫リング
２５  軸ボルト
２６  装飾カバー
２７  締付リング
２９  側部連結軸
５１  回動管
５２  クリップ・ボルト
５３  底部ベース
５４  クリップ・スライス
１５３  圧迫壁
１５５  Ｏリング
２１１  中心軸スロット
【図１】
0003111008.tif 000003
【図２】
0003111008.tif 000004
【図３】
0003111008.tif 000005
【図４ａ】
0003111008.tif 000006
【図４ｂ】
0003111008.tif 000007
【図４ｃ】
0003111008.tif 000008
【図５】
0003111008.tif 000009